(57)【要約】【課題】サブウーファの使用頻度を上げることができる収音装置を提供する。【解決手段】録音装置１は、正面用マイクＭ１、左前方用マイクＭ２、右前方用マイクＭ３、左後方用マイクＭ４、右後方用マイクＭ５、及びサブウーファ用マイクＭ６を備える。これらのマイクは、単一指向性マイクである。マイクＭ１〜マイクＭ５は、同一平面上に配置され、マイクＭ６は、マイクＭ１〜マイクＭ６が配置された平面と異なる位置に配置される。録音装置１は、装置の内部にサブウーファ用マイクＭ６を配置し、周囲に他のマイクＭ１〜マイクＭ５を配置している。また、録音装置１は、マイクＭ１〜マイクＭ５の指向軸の正面方向を、それぞれサラウンドサウンドを再生する際に設置する各スピーカの方向に向けて配置する。録音装置１は、ＬＦＥチャンネル用のマイクＭ６の指向軸を、他のマイクＭ１〜マイクＭ５の指向軸と垂直となるように配置する。【選択図】  図１
2010272926.tif 000002
【特許請求の範囲】
【請求項１】
サラウンドサウンドにおけるマルチチャンネルの音声信号を収音する収音装置であって、
前記サラウンドサウンドの再生時に設置するスピーカの方位をそれぞれ収音方位として、前記マルチチャンネルのチャンネル毎に配置される複数のマイクと、
前記複数のマイクが収音した音声信号と相関が低い音声信号を収音するように配置される収音手段と、
前記収音手段が生成した音声信号から低域のみを取得する取得手段と、を備えた収音装置。
【請求項２】
前記複数のマイク、及び前記収音手段は、単一指向性マイクであり、
前記複数のマイクは、それぞれが放射状に外側に向くように配置され、
前記収音手段は、前記複数のマイクの指向軸と垂直な方向を指向軸とする請求項１に記載の収音装置。
【請求項３】
前記複数のマイクは、それぞれ同一平面上に配置され、
前記収音手段は、前記複数のマイクの指向軸が交わる位置に、前記平面上に配置されている請求項２に記載の収音装置。
【発明の詳細な説明】
【技術分野】
【０００１】
この発明は、マルチチャンネルの音声を収音する収音装置に関する。
【背景技術】
【０００２】
従来、マルチチャンネルのオーディオソースを録音する場合において、低域チャンネルの音声信号を生成する手段が各種提案されている（例えば、非特許文献１参照。）。
【０００３】
非特許文献１の録音装置は、ラグビーボール状の筐体の内部に８つのマイクを配置して、マルチチャンネルの音声信号を生成している。これらのマイクは、無指向性のコンデンサマイクからなり、それぞれ筐体の前方側、右側、左側、上方側、右後方側、左後方側、後方側、及び内部に配置されている。そして、これらのマイクは、それぞれ異なるチャンネルの音声信号を収音している。筐体内部に配置されたマイクは、低域チャンネルを収音している。
【０００４】
また、クラシック等の生録音において、低域チャンネルの音声信号は録音されないことが多い。録音されない場合には、他のチャンネルの音声信号を合成して、合成後の音声信号から低域のみを取得して低域チャンネルの音声信号を生成する場合が多い。
【０００５】
更に、映画等のコンテンツ作成において、低域チャンネルの音声信号は、別途録音した音等の何らかの音素材から加工して生成されており、低域効果を補強するために使用されている。しかし、生録音のコンテンツ作成において、低域チャンネルの音声信号が用意されること自体が少ない。
【先行技術文献】
【非特許文献】
【０００６】
【非特許文献１】「Ｈ２−ＰＲＯ  Ｓｕｒｒｏｕｎｄ  Ｓｏｕｎｄ  Ｍｉｃｒｏｐｈｏｎｅ  Ｕｓｅｒ  Ｇｕｉｄｅ」、Ｒｉｓｉｎｇ  Ｓｕｎ  Ｐｒｏｄｕｃｔｉｏｎｓ  Ｌｔｄ．
【発明の概要】
【発明が解決しようとする課題】
【０００７】
しかしながら、非特許文献１の録音装置では、自身の全周囲を同等の感度で収音する無指向性のマイクを用いて各チャンネルの音声信号を生成する。この録音装置では、内部に配置されたマイク（低域チャンネル用のマイク）の周囲に他のマイクを配置し、各マイクが自身の全周囲を同等の感度で収音するため、低域チャンネルと他のチャンネルとに同じ波形成分の音声信号が含まれる。このため、この録音装置で録音したマルチチャンネルの音声信号を再生すると、低域チャンネルの音声信号と他のチャンネルの音声信号とで、打ち消し合ったり、極端に強めあったりしてしまう問題が生じることがある。
【０００８】
また、生録音したクラシック等の再生時に、全チャンネルの音声信号を合成して低域チャンネルの音声信号を生成する場合も、当然同じ波形成分の音声信号が含まれるため、音声信号を打ち消し合ったり、極端に強めあったりしてしまう問題が生じる。
【０００９】
更に、生録音のコンテンツの再生時に、通常の設定では、低域チャンネルの音声信号が出力されないことが多い。このため、所有するサブウーファの使用頻度が下がってしまい、ユーザが勿体なく感じてしまう。
【００１０】
そこで、本発明では、再生時に音声信号を打ち消し合ったり、極端に強めあったりしないような低域チャンネルの音声信号を収音することができる収音装置を提供する。
【課題を解決するための手段】
【００１１】
この発明の収音装置は、複数のマイクと、複数のマイクとは別の収音手段と、収音手段が収音した音声信号の低域のみを取得する取得手段とを備える。複数のマイクは、それぞれサラウンドサウンドの再生時に設置するスピーカの方位を収音方位として配置され、マルチチャンネルの音声信号を収音する。また、収音手段は、前記複数のマイクが収音した音声信号との相関が低い音声信号を収音するように配置される。例えば、収音手段として振動センサを用いる。振動センサは、前記複数のマイクと異なる伝搬方法で収音するため、相関が低い音声信号（振動）を収音することができる。
【００１２】
これにより、収音装置は、サラウンドサウンドを収音すると同時に、再生時に音声信号を打ち消し合ったり、極端に強めあったりしないような低域チャンネルの音声信号を収音することができる。
【００１３】
また、この発明の収音装置が備える複数のマイク、及び収音手段は、単一指向性マイクであってもよい。この場合、複数のマイクは、それぞれが放射状に（それぞれの指向軸が重なるように）外側に向くように配置される。すなわち、複数のマイクは、それぞれの感度極大の方向（感度が最大の方向）が放射状に外側に向くように配置される。そして、収音手段は、複数のマイクの指向軸と垂直な方向が指向軸となるように配置される。この時、収音手段は、複数のマイクの感度極大の方向と自身の指向軸が垂直になるため、複数のマイクが収音した音声信号との相関の低い音声信号を収音することができる。
【００１４】
更に、収音装置は、複数のマイクを同一平面上に配置して、複数のマイクを放射状に配置したことから複数のマイクの指向軸が１点で重なるため、複数のマイクの指向軸が重なる位置（すなわち、複数のマイクに囲まれる位置）で、且つ複数のマイクが配置された平面上に、収音手段を配置してもよい。この場合、収音手段は、複数のマイクの感度極小の方向（感度が最小の方向）に配置されるため、複数のマイクが配置された平面上と異なる位置に配置される場合と比べて、複数のマイクが収音した音声信号との相関のより低い音声信号を収音することができる。
【発明の効果】
【００１５】
この発明の収音装置は、サラウンドサウンドを収音すると同時に、再生時に音声信号を打ち消し合ったり、極端に強めあったりしないような低域チャンネルの音声信号を収音することができる。
【図面の簡単な説明】
【００１６】
【図１】録音装置が有するマイクの配置を示す図である。
【図２】録音装置の機能、構成を示すブロック図である。
【図３】録音装置が有するマイクの配置の他の例を示す図である。
【図４】他の実施形態に係る録音装置の機能、構成を示すブロック図である。
【発明を実施するための形態】
【実施例１】
【００１７】
本発明の録音装置１について、図１，２を参照して説明する。図１は、録音装置が有するマイクの配置を示す図である。図１（Ａ）は、斜視図を示し、図１（Ｂ）は、平面図を示す。図２は、録音装置の機能、構成を示すブロック図である。
【００１８】
図１（Ａ）に示すように、録音装置１は、正面用マイクＭ１、左前方用マイクＭ２、右前方用マイクＭ３、左後方用マイクＭ４、右後方用マイクＭ５、サブウーファ用マイクＭ６、ＬＰＦ部１１（図２参照）、及び記憶部１２（図２参照）を備える。マイクＭ１〜マイクＭ６は、単一指向性マイクである。
【００１９】
単一指向性マイクは、振動板と垂直な方向を指向軸とし、振動板の正面方向（指向軸の正面方向）の感度が最大（以下、感度極大と称す。）となり、振動板の背面方向（指向軸の背面方向）の感度が最小（以下、感度極小と称す。）となる。
【００２０】
録音装置１は、自装置の外周面に、マイクＭ１〜マイクＭ５を同一平面上に配置する。録音装置１は、マイクＭ１〜マイクＭ５の正面方向の指向軸を、それぞれサラウンドサウンドを再生する際に設置する各スピーカの方向に向けて、放射状に（それぞれの指向軸が重なるように）配置する。また、録音装置１は、自装置の内部に、マイクＭ１〜マイクＭ５が配置された平面と異なる位置にサブウーファ用マイクＭ６を配置する。録音装置１は、ＬＦＥチャンネル用のマイクＭ６の指向軸を、他のマイクＭ１〜マイクＭ５の指向軸と垂直となるように配置する。
【００２１】
具体的には、図１（Ｂ）に示すように、正面用マイクＭ１は、指向軸の正面方向（感度極大の方向）を＋Ｙ方向として、基準点（例えば、装置の中心）から＋Ｙ方向側に配置されたとする。そうすると、左前方用マイクＭ２は、正面用マイクＭ１から−Ｘ方向に３０度の方向（以下、Ｌ方向と称す。）に回転した位置に配置され、基準点からＬ方向を指向軸の正面方向とする。右前方用マイクＭ３は、正面用マイクＭ１から＋Ｘ方向に３０度の方向（以下、Ｒ方向と称す。）に回転した位置に配置され、基準点からＲ方向を指向軸の正面方向とする。左後方用マイクＭ４は、正面用マイクＭ１から−Ｘ方向に１００度〜１２０度の方向（以下、ＳＬ方向と称す。）に回転した位置に配置され、基準点からＳＬ方向を指向軸の正面方向とする。右後方用マイクＭ５は、正面用マイクＭ１から＋Ｘ方向に１００度〜１２０度の方向（以下、ＳＲ方向と称す。）に回転した位置に配置され、基準点からＳＲ方向を指向軸の正面方向とする。このように、マイクＭ１〜マイクＭ５は、それぞれの感度極大の方向が放射状に外側に向くように、それぞれの指向軸が同一平面上に配置される。また、マイクＭ１〜マイクＭ５の指向軸は、基準点で重なる。
【００２２】
これに対して、図１（Ａ）に示すように、サブウーファ用マイクＭ６は、基準点から−Ｚ方向に配置され、−Ｚ方向（マイクＭ１〜マイクＭ５の指向軸と垂直な方向）を指向軸の正面方向（マイクＭ６の感度極大の方向）とする。このように、サブウーファ用マイクＭ６の指向軸は、マイクＭ１〜マイクＭ５の指向軸が重なる位置を通り、マイクＭ１〜マイクＭ５の感度極大の方向が共有する平面に対して垂直となる。
【００２３】
ユーザは、この録音装置１をリスニングポイントに設置した後に、録音対象の音声の放音を開始（例えば、楽曲の演奏の開始や映画の撮影開始等）するとともに、録音を開始する。この際、ユーザは、正面用マイクＭ１をリスニングポイントから正面方向に向け、且つサブウーファ用マイクＭ６をリスニングポイントから下方向に向けて、録音装置１を設置する。
【００２４】
以上より、正面用マイクＭ１は、正面方向（＋Ｙ方向）からの音声信号（Ｃチャンネルの音声信号）を収音する。左前方用マイクＭ２は、左前方向（Ｌ方向）からの音声信号（Ｌチャンネルの音声信号）を収音する。右前方用マイクＭ３は、右前方向（Ｒ方向）からの音声信号（Ｒチャンネルの音声信号）を収音する。左後方用マイクＭ４は、左後方向（ＳＬ方向）からの音声信号（ＳＬチャンネルの音声信号）を収音する。右後方用マイクＭ５は、右後方向（ＳＲ方向）からの音声信号（ＳＲチャンネルの音声信号）を収音する。そして、サブウーファ用マイクＭ６は、下方向（−Ｚ方向）からの音声信号（ＬＦＥチャンネルに用いる音声信号）を収音する。
【００２５】
この際、サブウーファ用マイクＭ６は、マイクＭ１〜マイクＭ５の感度極大の方向が共有する平面と自身の指向軸が垂直になるため、マイクＭ１〜マイクＭ５が収音した音声信号との相関が低い音声信号を収音することができ、再生時に音声信号を打ち消し合ったり、極端に強めあったりしないような音声信号を収音することができる。
【００２６】
次に、録音装置１の機能、構成、及び処理について説明する。図２に示すように、ＬＰＦ部１１は、入力された音声信号の低域のみを取得するローパスフィルタである。記憶部１２は、各チャンネルの音声信号を記憶する記憶部である。録音装置１は、マイクＭ１〜マイクＭ６が収音した音声信号を、それぞれ記憶部１２に記憶させる。この際、サブウーファ用マイクＭ６が収音した音声信号は、ＬＰＦ部１１を介した後に、記憶部１２に記憶される。この結果、録音装置１は、低域の音声信号のみからなるＬＦＥチャンネルの音声信号（低域チャンネルの音声信号）を生成することができる。
【００２７】
以上より、録音装置１は、他のチャンネルの音声信号と同じ波形成分の音声信号がほとんど含まれず、他のチャンネルの音声信号との相関が低いＬＦＥチャンネルの音声信号を録音することができる。よって、録音装置１を用いて生成したマルチチャンネルの音声信号を再生すると、ＬＦＥチャンネルの音声信号と他のチャンネルの音声信号とで、打ち消し合ったり、極端に強めあったりせずに、サラウンドサウンドを実現することができる。
【００２８】
例えば、録音装置１は、クラシック等の演奏を生録音する場合にも、再生時に、他のチャンネルの音声信号と打ち消し合ったり、極端に強めあったりしないＬＦＥチャンネルの音声信号を録音することができる。
【００２９】
なお、上述の実施形態では、サブウーファ用マイクＭ６を下方向に向けて配置したが、これに限るものではなく、例えば、上方向に向けて配置してもよい。サブウーファ用マイクＭ６は、他の音声信号と相関が低い音声信号を収音すればよいため、上方向から音声信号を収音してもよい。サブウーファ用マイクＭ６は、上方向より下方向から収音した方が地響きや振動等の臨場感のある低音を収音することができるため、下方向から収音した方が好ましい。
【００３０】
なお、上述の実施形態では、マイクＭ１〜マイクＭ５を同一平面上に配置し、この平面と異なる位置にサブウーファ用マイクＭ６を配置した。しかし、図３に示すように、マイクＭ１〜マイクＭ６を同一平面上に配置してもよい。図３は、録音装置が有するマイクの配置の他の例を示す図である。
【００３１】
この場合、録音装置１は、マイクＭ１〜マイクＭ５の正面方向の指向軸を、それぞれサラウンドサウンドを再生する際に設置する各スピーカの方向に向けて、放射状に（それぞれの指向軸が重なるように）配置する。録音装置１は、マイクＭ１〜マイクＭ５の指向軸が重なる位置に、サブウーファ用マイクＭ６の指向軸とマイクＭ１〜マイクＭ５の指向軸とが垂直となるように、サブウーファ用マイクＭ６を配置する。すなわち、サブウーファ用マイクＭ６の指向軸は、マイクＭ１〜マイクＭ５の感度極大の方向が共有する平面に対して垂直となる。サブウーファ用マイクＭ６は、マイクＭ１〜マイクＭ６の感度極小の方向に配置される。
【００３２】
このため、サブウーファ用マイクＭ６は、マイクＭ１〜マイクＭ５が配置された平面と異なる位置に配置された場合よりも同一平面上に配置された方が、マイクＭ１〜マイクＭ５が収音した音声信号との相関のより低い音声信号を収音することができ、再生時に音声信号を打ち消し合ったり、極端に強めあったりするような音声信号を収音しない。
【００３３】
なお、サブウーファ用マイクＭ６をマイクＭ１〜マイクＭ５と同一平面上に配置する場合、サブウーファ用マイクは、双指向性マイクであってもよい。双指向性マイクは、振動板と平行な方向の感度が理論的にゼロとなる、感度がゼロとなる方向が回転対称であることから立体的には感度の低い面（以下、ＮＵＬＬ面と称す。）を有することとなる。この場合、録音装置１は、サブウーファ用マイクＭ６のＮＵＬＬ面とマイクＭ１〜マイクＭ６の指向軸とが一致するため、サブウーファ用マイクＭ６に単一指向性マイクを用いるより双指向性マイクを用いた方が、サブウーファ用マイクＭ６とマイクＭ１〜マイクＭ５とが収音する音声信号の相関を更に低くすることができる。
【００３４】
なお、上述の実施形態では、マイクＭ１〜マイクＭ５を同一平面上に配置したが、それぞれを異なる平面上に配置してもよい。
【００３５】
なお、サブウーファ用マイクＭ６は、他のマイクＭ１〜マイクＭ５に比べて、高域特性より低域特性がすぐれているマイクを使用する方が好ましい。
【００３６】
なお、録音装置１は、記憶部１２に代えて、外部出力端子を設け、外部記憶装置に音声信号を記憶する収音装置であってもよい。
【００３７】
なお、上述の実施形態では、５．１チャンネルを例に挙げて説明したが、２．１チャンネル、７．１チャンネル等、ＬＦＥチャンネルを含むマルチチャンネルの音声信号を録音可能な録音装置であればよい。
【実施例２】
【００３８】
次に、他の実施形態に係る録音装置２について、図４を参照して説明する。図４は、他の実施形態に係る録音装置の機能、構成を示すブロック図である。録音装置２は、ＬＦＥチャンネルの音声信号の生成方法が実施例１の録音装置１と相違する。以下、実施例１との相違点についてのみ説明する。
【００３９】
録音装置２は、定常雑音を測定する測定モードと、音声信号を録音する録音モードとを備える。定常雑音とは、通常時（何もしていない時）に生じる振動（例えば、空気の流れ等により生じる振動）のことである。測定モードでは、マイクＭ１〜マイクＭ５による収音が行われず、振動センサ２１にて収音した信号が、後述する処理を経て、定常雑音として除去部２３のメモリに記憶される。録音モードでは、マイクＭ１〜マイクＭ５にて収音した信号が、記憶部１２に記憶されるとともに、振動センサ２１にて取得した信号が、後述する処理を経て、ＬＦＥチャンネルの音声信号として記憶部１２に記憶される。ユーザは、録音装置２をリスニングポイントに設置すると、測定モードを実行し、定常雑音を測定した後に、録音モードを実行して、音声信号の録音を行う。
【００４０】
次に、録音装置２の機能、構成、及び処理について説明する。図４に示すように、録音装置２は、録音装置１のサブウーファ用マイクＭ６に代えて、振動センサ２１、振幅変換部２２、除去部２３、及びアンプ２４を備える。
【００４１】
振動センサ２１は、振動を取得する加速度センサ（例えば、圧電式、静電容量式、ピエゾ抵抗式等のセンサ）である。振動センサ２１は、取得した振動を電気信号に変換する。振幅変換部２２は、入力された電気信号を二階積分して加速度情報を振幅に変換する。除去部２３は、操作部（不図示）の操作に基づいて制御され、定常雑音を記憶するメモリを備える。除去部２３は、測定モードが選択された場合に、入力された振幅を定常雑音としてメモリに記憶する。また、除去部２３は、録音モードが選択された場合に、入力された振幅から、メモリに記憶した定常雑音を除去する。アンプ２４は、入力された振幅を増幅する。
【００４２】
測定モードでは、振動センサ２１が取得した振動は、振幅変換部２２を介して、除去部２３のメモリに記憶される。この結果、録音装置２は、振動センサ２１が取得した振動に基づく振幅を定常雑音として測定することができる。
【００４３】
また、録音モードでは、振動センサ２１が取得した振動は、振動センサ２１、振幅変換部２２、除去部２３、アンプ２４、及びＬＰＦ部１１を介して、記憶部１２に記憶される。この結果、録音装置２は、振動センサ２１が取得した振動から定常雑音を除去したものを、ＬＦＥチャンネルの音声信号として録音することができる。
【００４４】
以上より、録音装置２は、自装置が設置された場所の振動そのものをＬＦＥチャンネルの音声信号として録音する。録音したＬＦＥチャンネルの音声信号を再生することで、録音時の臨場感を伝えることができる。例えば、録音装置２を設置した自動車を運転して、ＬＦＥチャンネルの音声信号を録音する。録音したＬＦＥチャンネルの音声信号を再生することで、当該自動車に乗車しているような臨場感を伝えることができる。
【００４５】
例えば、生録音のコンテンツ（例えば、ドキュメンタリーや紀行物等のコンテンツ）作成において、録音装置２は、ＬＦＥチャンネルの音声信号（自装置が設置された場所の振動そのもの）を、低域効果を補強するためのエフェクトとして録音することができる。また、録音装置２は、録音するだけでエフェクトを生成することができるため、僅かな振動であってもＬＦＥチャンネルの音声信号として生成することができる。このため、何らかの素材から加工して生成する場合に比べて、出力されるＬＦＥチャンネルの音声信号が増え、所有するサブウーファの使用頻度が上がるため、ユーザは勿体なく感じない。
【００４６】
また、録音装置２は、他のチャンネルの音声信号と異なる伝搬方法でＬＦＥチャンネルの音声信号を収音するため、他のチャンネルの音声信号との相関が低いＬＦＥチャンネルの音声信号を生成することができる。
【００４７】
なお、上述の実施形態では、振動センサ２１として加速度センサを用いたが、速度センサ、変位センサであってもよい。この時、振幅変換部２２は、センサの種類に応じて変換方法を変える。
【符号の説明】
【００４８】
１，２…録音装置，１１…ＬＰＦ部，１２…記憶部，２１…振動センサ，２２…振幅変換部，２３…除去部，２４…アンプ，Ｍ１〜Ｍ６…マイク
【図１】
2010272926.tif 000003
【図２】
2010272926.tif 000004
【図３】
2010272926.tif 000005
【図４】
2010272926.tif 000006